(57)【要約】【課題】レンズ鏡筒を安定して保持できるレンズ鏡筒取付装置を提供することができるレンズ鏡筒取付装置を提供する。【解決手段】本発明のレンズ鏡筒取付装置１は、レンズ鏡筒１０が挿通可能な略円環状の内周面を有する環状体２と、環状体２の内周面における２点間の距離を調整する調整部材４と、内周面であって調整部材４によって距離を調整される２点間を結ぶ調整方向を避けた位置に設けられ、内周面の内側に向かって突出する２以上の突起５と、を備えることを特徴とする。【選択図】図２
2012247728.tif 000002
【特許請求の範囲】
【請求項１】
レンズ鏡筒が挿通可能な略円環状の内周面を有する環状体と、
前記環状体の内周面における２点間の距離を調整する調整部材と、
前記内周面であって前記調整部材によって距離を調整される前記２点間を結ぶ調整方向を避けた位置に設けられ、前記内周面の内側に向かって突出する２以上の突起と、を備えること、
を特徴とするレンズ鏡筒取付装置。
【請求項２】
レンズ鏡筒が挿通可能な略円環状の内周面を有する環状体と、
前記環状体の内周面に設けられ、前記内周面の内側に向かって突出する３以上の突起と、を備えること、
を特徴とするレンズ鏡筒取付装置。
【請求項３】
前記環状体の内周面における２点間の距離を調整する調整部材を備え、
前記突起は、前記調整部材によって距離を調整される前記２点間を結ぶ調整方向を避けた位置に設けられていること、
を特徴とする請求項２に記載のレンズ鏡筒取付装置。
【請求項４】
前記調整方向は、前記内周面の直径方向であること、
を特徴とする請求項１又は請求項３に記載のレンズ鏡筒取付装置。
【請求項５】
前記突起は、前記調整方向に対して略４５度の位置に配置されていること、
を特徴とする請求項４に記載のレンズ鏡筒取付装置。
【請求項６】
前記突起は、４以上設けられていること、
を特徴とする請求項１から５のいずれか１項に記載のレンズ鏡筒取付装置。
【請求項７】
前記突起は、互いに均等な距離を開けて配置されていること、
を特徴とする請求項１から６のいずれか１項に記載のレンズ鏡筒取付装置。
【請求項８】
前記突起は、前記内周面に沿って連続して設けられていること、
を特徴とする請求項２から７のいずれか１項に記載のレンズ鏡筒取付装置。
【請求項９】
前記環状体の外側から内側へ厚さ方向に貫通して前記内周面から突出し、前記レンズ鏡筒の外周面を前記内周面に押圧して固定する押圧部材をさらに備えること、
を特徴とする請求項２から８のいずれか１項に記載のレンズ鏡筒取付装置。
【請求項１０】
前記突起は、側面視で略台形であり、前記レンズ鏡筒の外周面に線接触可能な平面部を備えること、
を特徴とする請求項１から９のいずれか１項に記載のレンズ鏡筒取付装置。
【発明の詳細な説明】
【技術分野】
【０００１】
本発明は、レンズ鏡筒取付装置に関する。
【背景技術】
【０００２】
従来、レンズ鏡筒取付装置は、筒状のレンズ鏡筒を挿通させることのできる環状体と、環状体の内周面における２点間の距離を調整する調整部材と、を備えている（例えば、特許文献１参照）。この環状体の内周面は、平坦に形成されている。調整部材により環状体の内周面における２点間の距離を短くするよう調整すると、レンズ鏡筒が内周面により保持される。
【先行技術文献】
【特許文献】
【０００３】
【特許文献１】特開平５−２４９３５６号公報
【発明の概要】
【発明が解決しようとする課題】
【０００４】
しかし、環状体の内周面が平坦であると、環状体の内周面における締め付け方向の距離を縮めたときに、レンズ鏡筒は、距離の縮まった対向する２点間のみで支持されることとなる。筒状のレンズ鏡筒を径方向の２点間のみで支持しても、レンズ鏡筒が安定しづらいという問題がある。
【０００５】
本発明の課題は、レンズ鏡筒を安定して保持できるレンズ鏡筒取付装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。符号を付して説明した構成は、適宜改良してもよく、また、少なくとも一部を他の構成物に代替してもよい。
【０００７】
請求項１に記載の発明は、レンズ鏡筒（１０）が挿通可能な略円環状の内周面を有する環状体（２）と、前記環状体（２）の内周面における２点間の距離を調整する調整部材（４）と、前記内周面であって前記調整部材（４）によって距離を調整される前記２点間を結ぶ調整方向を避けた位置に設けられ、前記内周面の内側に向かって突出する２以上の突起（５）と、を備えること、を特徴とするレンズ鏡筒取付装置（１）である。
請求項２に記載の発明は、レンズ鏡筒（１０）が挿通可能な略円環状の内周面を有する環状体（２）と、前記環状体（２）の内周面に設けられ、前記内周面の内側に向かって突出する３以上の突起（５）と、を備えること、を特徴とするレンズ鏡筒取付装置（１）である。
請求項３に記載の発明は、請求項２に記載のレンズ鏡筒取付装置（１）であって、前記環状体（２）の内周面における２点間の距離を調整する調整部材（４）を備え、前記突起（５）は、前記調整部材（４）によって距離を調整される前記２点間を結ぶ調整方向を避けた位置に設けられていること、を特徴とするレンズ鏡筒取付装置（１）である。
請求項４に記載の発明は、請求項１又は請求項３に記載のレンズ鏡筒取付装置（１）であって、前記調整方向は、前記内周面の直径方向であること、を特徴とするレンズ鏡筒取付装置（１）である。
請求項５に記載の発明は、請求項４に記載のレンズ鏡筒取付装置（１）であって、前記突起（５）は、前記調整方向に対して略４５度の位置に配置されていること、を特徴とするレンズ鏡筒取付装置（１）である。
請求項６に記載の発明は、請求項１から請求項５のいずれか１項に記載のレンズ鏡筒取付装置（１）であって、前記突起（５）は、４以上設けられていること、を特徴とするレンズ鏡筒取付装置（１）である。
請求項７に記載の発明は、請求項１から請求項６のいずれか１項に記載のレンズ鏡筒取付装置（１）であって、前記突起（５）は、互いに均等な距離を開けて配置されていること、を特徴とするレンズ鏡筒取付装置（１）である。
請求項８に記載の発明は、請求項２から請求項７のいずれか１項に記載のレンズ鏡筒取付装置（１）であって、前記突起（５）は、前記内周面に沿って連続して設けられていること、を特徴とするレンズ鏡筒取付装置（１）である。
請求項９に記載の発明は、請求項２から請求項８のいずれか１項に記載のレンズ鏡筒取付装置（１）であって、前記環状体（２）の外側から内側へ厚さ方向に貫通して前記内周面から突出し、前記レンズ鏡筒（１０）の外周面を前記内周面に押圧して固定する押圧部材（７）をさらに備えること、を特徴とするレンズ鏡筒取付装置（１）である。
請求項１０に記載の発明は、請求項１から請求項９のいずれか１項に記載のレンズ鏡筒取付装置（１）であって、前記突起（５）は、側面視で略台形であり、前記レンズ鏡筒（１０）の外周面に線接触可能な平面部（５１）を備えること、を特徴とするレンズ鏡筒取付装置（１）である。
【発明の効果】
【０００８】
本発明によれば、レンズ鏡筒を安定して保持できるレンズ鏡筒取付装置を提供することができる。
【図面の簡単な説明】
【０００９】
【図１】本発明の第１実施形態のレンズ鏡筒取付装置でレンズ鏡筒を保持している状態の側面図である。
【図２】本発明の第１実施形態のレンズ鏡筒取付装置を示す正面図である。
【図３】レンズ鏡筒取付装置の環状体を開いた状態の正面図である。
【図４】レンズ鏡筒取付装置における突起の拡大斜視図である。
【図５】本発明の第２実施形態のレンズ鏡筒取付装置を示す正面図である。
【図６】本発明の第３実施形態のレンズ鏡筒取付装置を示す正面図である。
【図７】本発明の第４実施形態のレンズ鏡筒取付装置を示す正面図である。
【図８】本発明の第５実施形態のレンズ鏡筒取付装置を示す正面図である。
【発明を実施するための形態】
【００１０】
（第１実施形態）
以下、図面等を参照して、本発明の実施形態について説明する。
図１は、レンズ鏡筒取付装置１でレンズ鏡筒１０を保持している状態の側面図である。図２は、本発明の第１実施形態のレンズ鏡筒取付装置１を示す正面図である。図３は、レンズ鏡筒取付装置１の環状体２を開いた状態の正面図である。
【００１１】
レンズ鏡筒取付装置１は、レンズ鏡筒１０が挿通可能な環状体２と、環状体２に設けられる座体３と、環状体２の内周面における２点間の距離を調整する調整部材４と、環状体２の内周面には、内側に向かって突出する突起５が設けられている。
【００１２】
環状体２は、レンズ鏡筒１０の外周面に回転可能に嵌め込まれるものである。環状体２は、略円環状の内周面を有する。環状体２は、それぞれが略半円状の可動体２１及び固定体２２により構成される。固定体２２は、座体３と連続して一体になっている。可動体２１の一端は、固定体２２の一端に蝶番２１ａで開閉可能に連結されている。図３に示すように、蝶番２１ａを支点として可動体２１の他端を固定体２２の他端から外側に遠ざけた状態が、環状体２を開いた状態である。可動体２１の他端には、切り欠き２１ｂが設けられている。切り欠き２１ｂが、固定体２２の他端側に係合することで、環状体２が略円形になる。切り欠き２１ｂが固定体２２の他端側に係合した状態が、環状体２を閉じた状態である。
【００１３】
環状体２の内周面には、レンズ鏡筒１０を保護する保護部材として、例えば植毛紙２３が、環状体２の内周面に沿って貼付されている。
【００１４】
座体３は、環状体２と一体で三脚等の支持脚（図示せず）に固定されるものである。座体３は、固定体２２の一端から側面視でＬ字型に形成される。座体３は、レンズ鏡筒１０をレンズ鏡筒取付装置１に取り付けた状態において、レンズ鏡筒１０の先端側へ延びる底面部３１を有する。底面部３１には、支持脚に取り付けるためのネジ孔３２が、底面部３１の厚さ方向に設けられている。
【００１５】
調整部材は、環状体２の内周面における２点間の距離を調整するものであり、具体的には、偏心ピン４である。偏心ピン４は、環状体２の外周面側から内周面側に向かう回転軸を有するとともに、回転軸に対して偏心した位置に中心を有する。
【００１６】
偏心ピン４は、蝶番２１ａに対して対向する位置に配置されている。可動体２１の他端に設けられた切り欠き２１ｂは、環状体２が閉じた状態では、偏心ピン４に係合する。偏心ピン４は、切り欠き２１ｂが係合した状態で回転することができる。切り欠き２１ｂが係合した状態で偏心ピン４が回転すると、環状体２の内周面の直径方向の距離が調整される。詳細には、偏心ピン４の回転軸と蝶番２１ａを結ぶ線に略直交する線６上の２点間の距離が短くなる。線６の延びる方向が、偏心ピン４によって環状体２の内周面における２点間の距離が調整される調整方向である。
【００１７】
図４は、レンズ鏡筒取付装置１における突起５の拡大斜視図である。植毛紙２３は説明の便宜のため、省略されている。
【００１８】
突起５は、環状体２の内周面の内側に向かって突出するとともに、環状体２の内周面に４つ、互いに均等な距離を開けて配置されている。図１及び２に示すように、突起５は、調整方向を避けて、調整方向に延びる線６に対して４５度の位置に配置されている。また、突起５は、レンズ鏡筒取付装置１を支持脚に固定した状態で、環状体２の垂直方向に延びる線（ｙ）と、光軸１００を通り半径方向に延びる線（ｘ）上に設けられている。
【００１９】
突起５は、側面視で略台形であり、環状体２の内周面側に、レンズ鏡筒１０の外周面に線接触可能な平面部５１を有する。平面部５１は、レンズ鏡筒１０と突起５との接線方向に延びる面である。突起５は、環状体２の内周面から、環状体２の内側に向かって傾斜する２つの斜面５２と、環状体２の側面と同一平面上に延びる２つの側面５３を有する。
【００２０】
突起５は、環状体２の内周面における線６上の２点間の距離が最も短く調整された状態で、線６上の内周面よりも突起５の平面部５１の方が内側に突出する高さを有するように形成される。
【００２１】
次に、レンズ鏡筒取付装置１の取り付け方について説明する。
まず、座体３に設けられたネジ孔３２を支持脚のネジ孔（図示せず）に合わせ、ネジをネジ孔３２に螺合させて座体３を支持脚に装着する。そして、環状体２を開いた状態で、レンズ鏡筒１０を環状体２の内側に配置し、レンズ鏡筒１０の外周面に環状体２が嵌合できるよう位置を合わせる。そして、可動体２１の切り欠き２１ｂを偏心ピン４に係合させる。これにより、環状体２が閉じた状態となり、レンズ鏡筒１０は環状体２に緩く取り付けられる。なお、先にレンズ鏡筒１０を環状体２に取り付け、その後、座体３を支持脚に装着してもよい。
【００２２】
次に、環状体２を閉じた状態で、偏心ピン４を回転させて環状体２の内周面における２点間の距離を調整する。偏心ピン４を回転すると、偏心ピン４と蝶番２１ａを結ぶ線に略直交する線６上の２点間の距離が小さくなっていく。調整部材４を回転することで、内周面における直径方向のうち、線６上の２点間の距離が最も小さくなる。一方、環状体２の内周面における２点間の距離が短く調整されるにしたがって、線６に対して４５度の位置に配置されている突起５の平面部５１がレンズ鏡筒１０に線接触し、レンズ鏡筒１０を支持する。
【００２３】
以上、本実施形態によると、以下の効果を有する。
（１）環状体２の内周面における調整方向を避けた位置に２以上の突起５が設けられている。このため、環状体２の内周面上における２点間の距離が縮まっても、他の位置に設けられている突起５がレンズ鏡筒１０に接触するので、環状体２の内側でレンズ鏡筒１０が安定して保持される。
【００２４】
（２）突起５は、調整部材４と蝶番２１ａを結ぶ線に略直交する線６に対して４５度の位置に設けられている。また、突起５は、レンズ鏡筒取付装置１を支持脚に装着した状態で、環状体２の垂直方向に延びる線（ｙ）と、半径方向に延びる線（ｘ）上に設けられている。レンズ鏡筒１０は、環状体２に保持されると、重力によりレンズ鏡筒１０の一端又は他端が下方へ傾きやすい。しかし、この配置によれば、レンズ鏡筒１０が最も傾きやすい上下方向を押さえるように環状体２に突起５が設けられているので、レンズ鏡筒１０がより安定して保持される。
【００２５】
（３）突起５は、レンズ鏡筒１０の外周面に線接触可能な平面部５１を有している。レンズ鏡筒１０を環状体２に保持させる都度、平面部５１とレンズ鏡筒１０との接触点は変わる。しかし、突起５の内側が面状に形成されているため、突起５は安定してレンズ鏡筒１０の外周面に安定して接触することができる。
【００２６】
（４）環状体２の内側に植毛紙２３が貼付されているので、レンズ鏡筒１０が傷つきにくい。
【００２７】
（第２実施形態）
次に、本発明の第２実施形態であるレンズ鏡筒取付装置１Ａについて説明する。第１実施形態で説明した部材と同一の部材については同一符号を用いる。
【００２８】
図５は第２実施形態のレンズ鏡筒取付装置１Ａを示す正面図である。第１実施形態では、環状体２は可動体２１が固定体２２に蝶番２１ａにより連結されていたが、本実施形態では、環状体２Ａの全周が略一体に形成される。また、環状体２Ａの一部には、スリワリ部２４が設けられている。スリワリ部２４は、環状体２Ａの内周面と外周面の間に形成される裂け目である。
【００２９】
また、第１実施形態では、調整部材は偏心ピン４によって構成されているが、本実施形態では、調整部材はネジ部材４Ａにより構成される。ネジ部材４Ａは、スリワリ部２４の間隔を狭めるように、スリワリ部２４の延びる方向に対して直交する方向に設けられる。
【００３０】
突起５は、第一実施形態では環状体２の内周面における垂直方向（ｙ）及び半径方向（ｘ）に延びる線上に設けられている。本実施形態では、環状体２の内周面における２点間の距離は、スリワリ部２４を狭めることで調整されるので、調整方向は半径方向である。このため、突起５は半径方向を避け、環状体２Ａの半径方向に延びる線（ｘ）に対して４５度の位置に４箇所設けられている。突起５の形状は、第一実施形態と同様である。
【００３１】
ネジ部材４Ａを緩めると、スリワリ部２４が拡がる。スリワリ部２４を拡げた状態で、レンズ鏡筒１０を環状体２Ａに挿通させて位置を合わせる。そして、ネジ部材４Ａを締めると、環状体２Ａの半径方向における２点間の距離が短くなるように調整される。半径方向における２点間の距離が短くなるにしたがって、突起５の平面部５１がレンズ鏡筒１０に線接触し、レンズ鏡筒１０を支持する。
【００３２】
第２実施形態によれば、環状体２Ａの半径方向における２点間の距離が短くなっても、半径方向を避けた位置に配置された突起５がレンズ鏡筒１０に線接触する。このため、第１実施形態と同様に、レンズ鏡筒１０が突起５により安定して保持される。
【００３３】
また、垂直方向に延びる線（ｙ）を挟んで径方向に対称に突起５が配置されている。このため、レンズ鏡筒１０の一端又は他端が下方に傾こうとしても、突起５によりレンズ鏡筒１０の傾きが抑制される。
【００３４】
（第３実施形態）
次に、本発明の第３実施形態であるレンズ鏡筒取付装置１Ｂについて説明する。第１実施形態で説明した部材と同一の部材については同一符号を用いる。
【００３５】
図６は第３実施形態のレンズ鏡筒取付装置１Ｂを示す正面図である。第１実施形態では、突起５は４つ設けられているが、本実施形態では、突起５は互いに均等な距離を開けて６つ設けられている。突起５の形状は、第一実施形態と同様である。また、調整部材は、第一実施形態と同様に偏心ピン４により構成される。
【００３６】
偏心ピン４を回転すると、線６上の２点間の距離が小さくなる。環状体２Ａの内周面における２点間の距離が短く調整されるにしたがって、内周面に配置されている６つの突起５の平面部５１がレンズ鏡筒１０に線接触し、レンズ鏡筒１０を支持する。
【００３７】
第３実施形態によれば、突起５の数が第一実施形態よりも多く形成されるため、レンズ鏡筒１０がより多くの面により支持される。したがって、レンズ鏡筒１０がより安定して保持される。
【００３８】
（第４実施形態）
次に、本発明の第４実施形態であるレンズ鏡筒取付装置１Ｃについて説明する。第１実施形態で説明した部材と同一の部材については同一符号を用いる。
【００３９】
図７は第４実施形態のレンズ鏡筒取付装置１Ｃを示す正面図である。第１実施形態では突起５は４つ設けられているが、本実施形態では、突起５Ｃは環状体２の内周面に沿って連続して設けられている。本実施形態では、突起５Ｃの平面部５１Ｃの面積は、第１〜第３実施形態の平面部５１の面積よりも小さい。また、本実施形態における隣り合う突起５Ｃと突起５Ｃとの間隔は、第３実施形態おける突起５同士の間隔よりも狭い。なお、調整部材は、第一実施形態と同様に偏心ピン４により構成される。
【００４０】
偏心ピン４を回転すると、線６上の２点間の距離が小さくなり、環状体２は変形する。しかし、本実施形態では、第１〜第３実施形態における突起５よりも細かい突起５Ｃが、より狭い間隔で設けられているので、環状体２がわずかに変形した場合でも突起５Ｃがレンズ鏡筒１０に接触する。
【００４１】
第４実施形態によれば、環状体２がわずかに変形した場合でも、複数の突起５Ｃがレンズ鏡筒１０を支持するので、レンズ鏡筒１０が安定して保持される。
【００４２】
（第５実施形態）
次に、本発明の第５実施形態であるレンズ鏡筒取付装置１Ｄについて説明する。第１実施形態で説明した部材と同一の部材については同一符号を用いる。
【００４３】
図８は第５実施形態のレンズ鏡筒取付装置１Ｄを示す正面図である。第１実施形態では、調整部材は偏心ピン４により構成されているが、本実施形態では、調整部材は環状体２Ｄの外側から内側へ厚さ方向に貫通して内周面から突出する押圧部材により構成される。押圧部材は押ネジ７である。押ネジ７の先端は、レンズ鏡筒１０を傷つけないように曲面に形成されている。
【００４４】
本実施形態では、突起５は、押ネジ７の軸方向を避けた位置に配置される。突起５は、４つ設けられている。突起５は、押ネジ７の軸方向に対して４５度の位置に設けられている。突起５の形状は、第一実施形態と同様である。
【００４５】
環状体２Ｄにはレンズ鏡筒１０が予め取り付けられている。そして、押ネジ７を回転すると、押ネジ７の先端がレンズ鏡筒１０の外周面を環状体２Ｄの内周面に押圧し、レンズ鏡筒１０を固定する。レンズ鏡筒１０は、押ネジ７に押圧されるため、レンズ鏡筒１０における押ネジ７の軸方向上の半径が短くなるように変形する。しかし、レンズ鏡筒１０が変形しても、環状体２Ｄの内周面における押ネジの軸方向を避けた位置に配置されている突起５が、レンズ鏡筒１０の外周面に線接触し、レンズ鏡筒１０を支持する。
【００４６】
第５実施形態によれば、レンズ鏡筒１０における押ネジ７の軸方向上の半径が短くなっても、ネジの軸方向を避けた位置に配置されている突起５が、レンズ鏡筒１０の外周面に線接触する。このため、第１実施形態と同様に、レンズ鏡筒１０が突起５により安定して保持される。
【００４７】
（変形形態）
以上、説明した実施形態に限定されることなく種々の変形や変更が可能であり、それらも本発明の範囲内である。
本実施形態では、環状体２の内周面上における２点間の距離を、偏心ピン４やスリワリ部２４を狭めるネジ部材４Ａにより調整する。しかし、これに限らず、環状体の外周面に溝を設け、溝の深さ方向の内壁が傾斜するように形成してもよい。そして、環状体の外側から内側に向かう回転軸を有するネジを設け、ネジの先端を傾斜した溝の内壁に沿って移動させることにより、環状体の内周面上における２点間の距離を徐々に短くするよう調整することができる。
また、本実施形態では、保護部材として植毛紙を設けた。しかし、これに限らず、保護部材は、柔軟かつ摺動性の良好な部材であればよい。例えば、樹脂製のフィルムでもよい。
【符号の説明】
【００４８】
１、１Ａ、１Ｂ、１Ｃ、１Ｄ：レンズ鏡筒取付装置、２、２Ａ：環状体、３：座体、４、４Ａ：調整部材、５、５Ｃ：突起、７：押圧部材、５１：平面部
【図１】
2012247728.tif 000003
【図２】
2012247728.tif 000004
【図３】
2012247728.tif 000005
【図４】
2012247728.tif 000006
【図５】
2012247728.tif 000007
【図６】
2012247728.tif 000008
【図７】
2012247728.tif 000009
【図８】
2012247728.tif 000010